(57)【要約】【課題】常にマルチパスのサーチ動作を行う必要がなく、パスサーチを適度の時間で実施するような、回路規模を極力抑えたＣＤＭＡ端末およびマルチパス同期方法の提供。【解決手段】周辺セルのレベル測定および／または品質の結果に基づいてハンドオーバー先を予想し、該ハンドオーバー先のセルの同期を予め行うようにしたことを特徴とする。【選択図】        図１
2004363950.tif 000002
【特許請求の範囲】
【請求項１】
周辺セルのレベル測定および／または品質の結果に基づいてハンドオーバー先を予想し、該ハンドオーバー先のセルの同期を予め行うようにしたことを特徴とするＣＤＭＡ端末。
【請求項２】
通信部と、周辺セル測定部と、セル追加条件判定部とを有するＣＤＭＡ端末であって、
前記周辺セル測定部は、周辺セルの遅延プロファイルを測定するための測定用遅延プロファイル生成部と、マルチパスタイミングを測定用フィンガー部へ通知する測定用パス割り当て部と、測定用フィンガー部および測定用レーキ合成部と、
を有し、
前記測定用フィンガー部および測定用レーキ合成部は、対象セルの受信レベルおよび／または受信品質を測定して前記セル追加条件判定部に出力して、当該セル追加条件判定部に前記対象セルが通信に使用すべきセルであるかを判定してハンドオーバー先を予想し、該ハンドオーバー先のセルの同期を予め行うようにしたことを特徴とするＣＤＭＡ端末。
【請求項３】
前記ＣＤＭＡ端末は、通信用遅延プロファイル生成部と、通信用パス割り当て部と、通信用フィンガーと、通信用ＲＡＫＥ合成部とを含む通信部をさらに有し、
前記通信用遅延プロファイル生成部は、通信中のセルの遅延プロファイルを作成し、
前記通信用パス割り当て部は、前記作成された遅延プロファイルを基に受信レベルの良いマルチパスを選択して、前記通信用フィンガーにパスタイミングを通知し、
前記通信用フィンガーは、前記通知されたパスタイミングによって、アンテナ部、無線部を介してＡ／Ｄ変換された受信データの逆拡散および復調を行い、
前記通信用レーキ（ＲＡＫＥ）合成部は、マルチパス毎の復調データをレーキ合成することを特徴とする請求項２に記載のＣＤＭＡ端末。
【請求項４】
さらに、前記通信部を制御する通信制御部を有し、当該通信制御部は前記対象セルが通知されることを特徴とする請求項３に記載のＣＤＭＡ端末。
【請求項５】
さらに、前記周辺セル測定部は、タイマ部を有し、当該周辺セル測定部を制御する測定制御部は、当該ＣＤＭＡ端末にネットワークから通知される前に、通信に使用すべきであると判定された前記対象セルに対して前記タイマにタイムカウントを実行させ、前記周辺セルの測定に使用されていない前記測定幼稚園プロファイル部および前記測定用パス割り当て部のユニットに当該セルの遅延プロファイルの作成とパス割り当てとを継続するように通知することを特徴とする請求項４に記載のＣＤＭＡ端末。
【請求項６】
前記通信用遅延プロファイル生成部および前記測定用遅延プロファイル生成部とを、共有して設けることを特徴とする請求項２〜５のいずれか１項に記載のＣＤＭＡ端末。
【請求項７】
周辺セルのレベル測定および／または品質の結果に基づいてハンドオーバー先を予想し、該ハンドオーバー先のセルの同期を予め行うようにしたことを特徴とするマルチパス同期方法。
【請求項８】
対象セルの受信レベルおよび／または受信品質とを測定して前記対象セルが通信に使用すべきセルであるかを判定してハンドオーバー先を予想し、該ハンドオーバー先のセルの同期を予め行うようにしたことを特徴とするマルチパス同期方法。
【請求項９】
対象セルの受信レベルおよび／または受信品質とを測定して前記対象セルが通信に使用すべきセルであるかを判定し、当該判定結果をネットワークに送信して当該対象セルの追加条件が成立する場合に、追加条件が成立した当該対象セルのパス同期を開始させタイムカウントすることを特徴とするマルチパス同期方法。
【発明の詳細な説明】
【０００１】
【発明の属する技術分野】
本発明は、ＣＤＭＡ端末およびマルチパス同期方法に関する。
【０００２】
【従来の技術】
従来のＣＤＭＡ受信機および、パスサーチの一例が、特許文献１の特開２０００−０５０３３８号公報等に記載されている。
３ＧＰＰ（３ｒｄ  Ｇｅｎｅｒａｔｉｏｎ  Ｐａｒｔｎｅｒｓｈｉｐ  Ｐｒｏｊｅｃｔ）等の標準化仕様ではＮ個の周辺セルの測定を規定された時間で実施する必要がある。また、周辺セルを測定した結果及びセルの状態の変化をイベントとして判定し、ネットワークへ報告する。ネットワーク側では、イベント種別および報告レベルに応じて、移動機（端末）に対してハンドオーバーセルを指定する。また、ハンドオーバーを指示された移動機は通信セルの追加をＴ時間以内に実施するという規定がある。
【０００３】
このため、従来は以下２通りの方法のいずれかを用いて前記機能を実現していた。
第１の方法として、前記Ｎ個の周辺セルを同時に測定でき、かつ、ネットワークからの通信セルの追加要求に対してすぐに通信フィンガーのパス同期が出来る様にＮ個の周辺セルのマルチパスをサーチする動作を常時行う方法が挙げられる。
【０００４】
第２の方法として、周辺セルの数であるＮ個よりも少ないハードウェアユニットで前記Ｎ個の周辺セルを時分割で順次に測定し、ネットワークから通信セルの追加指示があった後に対象セルのマルチパスサーチを高速に行い、通信用フィンガーの割り当てを決定する方法が挙げられる。この第２の従来例では高速にパスを検出するため、パスの検出範囲を狭くしている。
【０００５】
また、特許文献２の特表平９−５１２１４１号公報には、サービスセルに隣接するセルの信号の受信レベルを測定し、この測定に基づいて少なくとも１つの隣接セルをハンドオーバーのための候補セルとして選択する段階を備えたハンドオーバー方法が、記載されている。
【０００６】
また従来技術の１つとして、たとえば、特許文献３の特開２０００−３１２３７１号公報を挙げることができる。この公報には、無線通信システムを構成する端末と基地局におけるハンドオーバー処理が記載されている。そしてこの処理では、断続的なオープンサーチを行っていることも記載されている。
【０００７】
【特許文献１】
特開２０００−０５０３３８号公報
【特許文献２】
特表平９−５１２１４１号公報
【特許文献３】
特開２０００−３１２３７１号公報
【０００８】
【発明が解決しようとする課題】
前記第１の方法ではＮ個の周辺セルに対して常にマルチパスをサーチする動作を行う必要があるため、回路規模が大きくなってしまう。また、前記第２の方法では短い時間でパスサーチを実施する必要があるため、フェージングや雑音の平均化が十分に行われず、誤ったフィンガーを割り当ててしまう可能性があり、通信セル追加時の性能が劣化する可能性がある。また、短時間でパスサーチを行うため、該当部分の回路規模も大きくなるという問題点がある。
【０００９】
【課題を解決するための手段】
以上の問題を解決するため、本発明では、以下の手法を用いる。Ｎ個の周辺セルのレベル測定を行うために、周辺セル測定部内のＮ個より少ないハードウェアユニットを時分割で適宜使いまわしてＮ個の周辺セルのレベルを測定する。このため、Ｎ個全てのセルに対して常にパスサーチを行うことを要しない。測定したセルのうち通信セルに追加する判定条件が成立し、ネットワークに対して標準化仕様に規定されるようなイベント発生を報告した場合には、ネットワークからセルを通信に追加する指示が来る前に、報告したセルのうち、通信セルへ追加する条件が成立したセル（通信セルに追加すると判定したセル）のパス同期を開始する。ネットワークから当該セルの通信セルへの追加指示を受信した時点で、パス同期情報を通信用フィンガーに割り当てる。一定時間以上経過してもネットワークからセルの追加指示が来なかった場合、当該セルを常時パスサーチする動作は停止する。
【００１０】
以上の動作により、少ない回路規模（たとえば周辺セル数Ｎよりも少ない回路規模）で、高速に安定したハンドオーバーを実施できる。
【００１１】
換言すれば、請求項１に記載のＣＤＭＡ端末の発明は、周辺セルのレベル測定および／または品質の結果に基づいてハンドオーバー先を予想し、該ハンドオーバー先のセルの同期を予め行うようにしたことを特徴とする。
【００１２】
請求項２に記載のＣＤＭＡ端末の発明は、通信部と、周辺セル測定部と、セル追加条件判定部とを有するＣＤＭＡ端末であって、前記周辺セル測定部は、周辺セルの遅延プロファイルを測定するための測定用遅延プロファイル生成部と、マルチパスタイミングを測定用フィンガー部へ通知する測定用パス割り当て部と、測定用フィンガー部および測定用レーキ合成部とを有し、前記測定用フィンガー部および測定用レーキ合成部は、対象セルの受信レベルおよび／または受信品質を測定して前記セル追加条件判定部に出力して、当該セル追加条件判定部に前記対象セルが通信に使用すべきセルであるかを判定してハンドオーバー先を予想し、該ハンドオーバー先のセルの同期を予め行うようにしたことを特徴とする。
【００１３】
請求項３に記載のＣＤＭＡ端末の発明は、請求項２において、前記ＣＤＭＡ端末は、通信用遅延プロファイル生成部と、通信用パス割り当て部と、通信用フィンガーと、通信用ＲＡＫＥ合成部とを含む通信部をさらに有し、前記通信用遅延プロファイル生成部は、通信中のセルの遅延プロファイルを作成し、前記通信用パス割り当て部は、前記作成された遅延プロファイルを基に受信レベルの良いマルチパスを選択して、前記通信用フィンガーにパスタイミングを通知し、前記通信用フィンガーは、前記通知されたパスタイミングによって、アンテナ部、無線部を介してＡ／Ｄ変換された受信データの逆拡散および復調を行い、前記通信用レーキ（ＲＡＫＥ）合成部は、マルチパス毎の復調データをレーキ合成することを特徴とする。
【００１４】
請求項４に記載のＣＤＭＡ端末の発明は、請求項３において、さらに、前記通信部を制御する通信制御部を有し、当該通信制御部は前記対象セルが通知されることを特徴とする。
【００１５】
請求項５に記載のＣＤＭＡ端末の発明は、請求項４において、さらに、前記周辺セル測定部は、タイマ部を有し、当該周辺セル測定部を制御する測定制御部は、当該ＣＤＭＡ端末にネットワークから通知される前に、通信に使用すべきであると判定された前記対象セルに対して前記タイマにタイムカウントを実行させ、前記周辺セルの測定に使用されていない前記測定幼稚園プロファイル部および前記測定用パス割り当て部のユニットに当該セルの遅延プロファイルの作成とパス割り当てとを継続するように通知することを特徴とする。
【００１６】
請求項６に記載のＣＤＭＡ端末の発明は、請求項２〜５のいずれか１項において、前記通信用遅延プロファイル生成部および前記測定用遅延プロファイル生成部とを、共有して設けることを特徴とする。
【００１７】
請求項７に記載のマルチパス同期方法の発明は、周辺セルのレベル測定および／または品質の結果に基づいてハンドオーバー先を予想し、該ハンドオーバー先のセルの同期を予め行うようにしたことを特徴とする。
【００１８】
請求項８に記載のマルチパス同期方法の発明は、対象セルの受信レベルおよび／または受信品質とを測定して前記対象セルが通信に使用すべきセルであるかを判定してハンドオーバー先を予想し、該ハンドオーバー先のセルの同期を予め行うようにしたことを特徴とする。
【００１９】
請求項９に記載のマルチパス同期方法の発明は、対象セルの受信レベルおよび／または受信品質とを測定して前記対象セルが通信に使用すべきセルであるかを判定し、当該判定結果をネットワークに送信して当該対象セルの追加条件が成立する場合に、追加条件が成立した当該対象セルのパス同期を開始させタイムカウントすることを特徴とする。
【００２０】
【発明の実施の形態】
本発明は、ＣＤＭＡ方式の移動端末において、周辺セルのレベル測定結果を基に、移動機（移動端末）側でハンドオーバー先を予想し、ハンドオーバー先のセルのパス同期を予め行うことにより、少ない回路規模で、高速にハンドオーバーを行うことができるＣＤＭＡ端末およびマルチパス同期方法を提供するものである。
【００２１】
図１はパス同期システムに使用される本発明のＣＤＭＡ端末の構成図である。この図に示すように、測定用遅延プロファイル生成部（１３）は、周辺セルの遅延プロファイルを測定し、測定用パス割り当て部（１４）がマルチパスタイミングを測定用フィンガー部（１５）へ通知する。測定用フィンガー部（１５）および測定用ＲＡＫＥ合成部（測定用レーキ合成部）（１６）は受信レベルと受信品質を測定する。セル追加条件判定部（１７）は測定されたセルの受信品質および受信レベルに基づき、当該セルが通信に使用すべきセルであるか否かを判定する。当該セルの測定結果および条件判定結果は送信部（１１）を介してネットワークに通知される。また、前記セル追加条件を満たしたセルに対しては、ネットワークからセルを追加する指示がされる前に、測定用遅延プロファイル生成部（１３）と測定用パス割り当て部（１４）の空きユニットを使用して予めマルチパス同期を開始しておく。ネットワークからハンドオーバーの指示が来た場合には、予めパス同期していたフィンガー割り当て情報を通信用フィンガー（８）に通知できるため、初期のパス同期無しで通信用フィンガー（８）を起動できる。以上により、少ない回路規模でハンドオーバーを高速に実現できる。
【００２２】
図１を参照すると、本発明のＣＤＭＡ端末は、アンテナ（１）と無線部（２）とＡ／Ｄ（アナログ／デジタル）変換部（３）と通信部（４）と送信部（１１）とＤ／Ａ変換部（１２）から構成されている。周辺セル測定部（５）とセル追加条件判定部（１７）と測定制御部（１８）と通信制御部（１０）は、プログラムによる制御により動作するコンピュータ（中央処理装置；プロセッサ；データ処理装置）に実装しても良い。
【００２３】
通信部（４）は、通信用遅延プロファイル生成部（６）と、通信用パス割り当て部（７）と、通信用フィンガー（８）と、通信用ＲＡＫＥ合成部（９）とを含む。
【００２４】
また、周辺セル測定部（５）は測定用遅延プロファイル測定部（１３）と測定用パス割り当て部（１４）と測定用フィンガー（１５）と測定用ＲＡＫＥ合成部（１６）とタイマ部（１９）とを含む。
【００２５】
このような構成を有するＣＤＭＡ端末は、概略次の様に動作する。
基地局からの電波は、アンテナ（１）および無線部（２）によりアナログデータとして受信される。受信したアナログデータはＡ／Ｄ変換部（３）によりデジタル信号に変換される。このデジタル信号は通信部（４）および周辺セル測定部（５）に入力される。
【００２６】
通信部（４）は通信制御部（１０）によって制御される。通信用遅延プロファイル生成部（６）はｋ個のユニットを持ち、Ａ／Ｄ変換部（３）により入力されたデジタル信号により、ｋ個までの通信中のセルの遅延プロファイルを作成する。
通信用パス割り当て部（７）は、作成されたｋ個までの遅延プロファイルを基に受信レベルの良い（高い）マルチパスを選択し、通信用フィンガー（８）の各ユニットに各一個ずつ、最大ｊ個のパスタイミングを通知する。通信用フィンガー（８）の各ユニットはそれぞれ指定されたタイミングで受信データ（Ａ／Ｄ変換部（３）により入力されたデジタル信号）の逆拡散および復調を行う。通信用ＲＡＫＥ合成部（９）が最大ｊ個までのマルチパス毎の復調データをＲＡＫＥ合成することで、パスダイバーシティ効果が得られる。
【００２７】
周辺セル測定部（５）は測定制御部（１８）により制御され、通信に使用していない周辺セルの受信レベルおよび受信品質の監視を定期的に行う。
測定用遅延プロファイル生成部（１３）は複数のユニットからなり、各ユニットは、Ａ／Ｄ変換部（３）により入力されたデジタル信号を入力し、ネットワークより指定された拡散コードと基地局の送信タイミングとを用いて、周辺セルの遅延プロファイルをそれぞれ作成する。このそれぞれの遅延プロファイルを基に前記測定用遅延プロファイル生成部（１３）のユニット数に対応したユニット数からなる測定用パス割り当て部（１４）は遅延プロファイルの上位ｍ個のピーク位置を検出することにより、マルチパスの位置（遅延量：パスタイミング量）を推定し、ユニット数ｍ個からなる測定用フィンガー（１５）の各ユニットそれぞれに一個ずつ最大ｍ個のパスタイミングを通知する。
【００２８】
図１に示すように、最大ｍ個のユニットからなる測定用フィンガー（１５）は測定用ＲＡＫＥ合成部（１６）に通知された最大ｍ個のパスタイミングでＡ／Ｄ変換部（３）により入力されたデジタル信号を出力し、測定用ＲＡＫＥ合成部（１６）はこの受信信号を合成して受信レベルおよび受信品質を測定する。
なお、測定用遅延プロファイル生成部（１３）および測定用パス割り当て部（１４）はｎ個のユニットによりｎセル分を同時測定可能な構成とする。例えば８００ｍｓで３２セルを測定する必要があり、１セルの測定に２０ｍｓかかる場合には、前記遅延プロファイル測定部およびパス割り当て部のうち１つだけを時分割で周辺セルの測定に使用する。
【００２９】
前記、測定した周辺セルの受信レベルおよび受信品質は、セル追加条件判定部（１７）により、通信中のセルのレベル、品質との比較や一定のしきい値を超えているかについての判定が行われる。なお、通信中のセルのレベル及び品質は通信部（４）で測定され、通信制御部（１０）に通知される。
周辺セル測定部（５）が測定した受信レベルと品質（たとえばビット当たりのエネルギー、Ｃ／Ｎ比、ＳＮＲ、ＦＥＲなど）、及びセル追加条件判定部（１７）が判定した判定結果は、測定制御部（１８）に通知される。同時に通信制御部（８）にも通知され、送信部（１１）および、Ｄ／Ａ変換部（１２）、無線部（２）、アンテナ（１）を介してセルの品質、レベル情報と条件判定結果が基地局に通知される。
【００３０】
測定制御部（１８）はセル追加判定条件を満たしたセルがある場合には、タイマ部（１９）でカウントを開始させ、測定用遅延プロファイル部（１３）および測定用パス割り当て部（１４）の周辺セルの測定に使用されていないユニットに当該セルの遅延プロファイルの作成とパス割り当てとを継続して実行するように通知する。なお、以降では本動作を“パス同期を行う（パス同期の実行）”と表現する。ネットワークから当該セルを追加する指示を、通信部（４）を介して通信制御部（１０）が受け取った場合には、測定制御部（１９）は当該セルのパスタイミング情報を通信制御部（１０）へ通知して、当該セルのパス同期を停止させる。通信制御部（１０）は当該セルのパスタイミングを通信用フィンガー（８）に通知し、当該セルを通信に使用するよう制御する。
また、ネットワークから当該セルを追加する指示が来る前にタイマ部（１９）がタイムアウトした場合には、当該セルのパス同期の継続を停止（パス同期の実行を停止）させる。
【００３１】
＜実施形態の動作の説明＞
次に、図１に示すＣＤＭＡ端末の構成図および図２〜図５のフローチャートを参照して、本実施形態の全体の動作について、詳細に説明する。なお説明のため、以下では同時に通信できる最大セル数ｋを６とし、測定用遅延プロファイル生成部（１３）および測定用パス割り当て部（１４）のユニット数ｎを７とする。また、３２の周辺セルを８００ｍｓ以内に測定することとし、１セル辺りの測定に２０ｍｓかかることにして説明するが、これらの値は、説明のために用いた値であり、他の値を設定して異なる条件で行っても良い。
【００３２】
はじめに図２に示す動作例について説明する。
ネットワーク（基地局）から、アンテナ（１）、無線部（２）およびＡ／Ｄ変換部（３）を介して、通信部（４）および周辺セル測定部（５）は、通信するセルと、レベルと品質を監視する周辺セルの指定を受ける。通信部を介して＃１〜＃３２のセル情報が通信制御部に通知される（ＳＴＥＰ１−１）。
通信制御部（１０）は測定するセルの指定を測定制御部（１８）に通知する（ＳＴＥＰ１−２）。
測定制御部（１８）は当該セルのレベル及び品質を、ユニットの測定用遅延プロファイル生成部（１３）及び測定用パス割り当て部（１４）を動作させて、測定用フィンガー（１５）に１〜ｍ個のマルチパス位置（遅延タイミング量）を通知し、測定用フィンガーでは、この測定用フィンガーを構成するｍ個の各測定用フィンガーが、測定用ＲＡＫＥ合成部（１６）に通知された最大ｍ個のパスタイミングでＡ／Ｄ変換部（３）により入力されたデジタル信号から、最大ｍ個処理された出力信号を測定用ＲＡＫＥ合成部（１６）に出力し、測定用ＲＡＫＥ合成部（１６）はこの受信信号を合成して受信レベルおよび受信品質を測定する（ＳＴＥＰ１−３）。本動作を対象セル（測定対象セル）の数の分、繰り返すことで３２個のセルを、３２×２０ｍｓ＝６４０ｍｓかけて測定する。
【００３３】
全セルの測定が完了したら、通信に追加するべきセルがあるか否かを、セル追加削除条件判定部（１７）が判定し、測定制御部（１８）に判定したセル（対象セル）のレベル、品質および判定を実行する（ＳＴＥＰ１−４）。
測定制御部（１８）は、通信制御部に対して、３２セルのレベルおよび、品質の測定結果と、セル追加条件の判定結果を通信制御部（１０）に通知する（ＳＴＥＰ１−５）。通信制御部は測定結果及び条件判定結果を、送信部（１１）、Ｄ／Ａ変換部（１２）、無線部（２）、アンテナ（１）を介して基地局に送信する。
セルの追加条件が成立していない場合には、測定制御部（１８）は、ＳＴＥＰ１−３に戻り動作を繰り返す（ＳＴＥＰ１−６）。
【００３４】
セルの追加条件が成立した場合には、測定制御部（１８）は、追加条件が成立したセルのうち、レベルまたは品質の良い方から上位６個のパス同期の継続をユニット２〜７までの測定用遅延プロファイル生成部（１３）及び測定用パス割り当て部（１４）に通知する。同時にタイマ部（１９）では、タイマのカウントを開始する（ＳＴＥＰ１−７）。タイマ値は予め設定された値である。以降ユニット２〜７までの測定用遅延プロファイ生成部（１３）及び測定用パス割り当て部（１４）は、測定制御部（１８）からの停止要求があるまで、継続的に動作する。ここまでの処理を行った後はＳＴＥＰ１−３に戻り、３２セル全ての処理が終了するまで、この処理（測定）が繰り返されて行われる。
【００３５】
次に移動機が報告した周辺セルの測定結果に基づき、ネットワークから通信セル、監視する周辺セルの変更が指示された場合の動作を、図３を参照して説明する。
【００３６】
ネットワークから通信セル及び、監視する周辺セルの変更指定を受ける。指定は基地局より、通信部を介して＃１〜＃３２のセル情報が通信制御部に通知される（ＳＴＥＰ２−１）。
通信制御部（１０）は、測定するセルの指定および追加された通信セルの指定を測定制御部（１８）に通知する（ＳＴＥＰ２−２）。
【００３７】
測定制御部（１８）は、追加される通信セルのパス同期が、ＳＴＥＰ１−７で実施したユニット２〜７までにより実施されたパス位置を、通信制御部（１０）を経由して通信用パス割り当て部に通知する（ＳＴＥＰ２−３）。これにより、通信部はパス検出の初期同期を行わずに高速に通信セルを追加することができる。ユニット２〜７のパス同期が通信制御部に通知された時点で、ユニット２〜７のパス同期を停止し、タイマ部（１９）のカウントも停止する。以降はＳＴＥＰ１−３の動作に戻る。
【００３８】
また、タイマ部（１９）のタイマカウントが満了した場合について、図４を参照して説明する。
タイマ部（１９）のタイマカウントが満了したことが測定制御部（１８）に通知される（ＳＴＥＰ３−１）。
ユニット２〜７のパス同期を停止する（ＳＴＥＰ３−２）。
【００３９】
さらに、ＳＴＥＰ１−４記載のセルの追加、削除判定方法の一例を、図５を参照して説明する。本実施形態では、説明の簡単化のために簡易的な方法を記載する。この判定方法を、３ＧＰＰ（３ｒｄ  Ｇｅｎｅｒａｔｉｏｎ  Ｐａｒｔｎｅｒｓｈｉｐ  Ｐｒｏｊｅｃｔ）では、セル状態の変化をネットワークに通知するためのイベント判定の方法が標準化されている仕様に基づいた判定方法を採用しても良い。
【００４０】
測定した周辺セルの判定を開始する（ＳＴＥＰ４−１）。
測定した周辺セル＃ｉのレベルまたは品質が、通信中のセルのレベルまたは品質より良くなったかを判定する（判定結果Ａ）（ＳＴＥＰ４−２）。
測定した周辺セル＃ｉのレベルまたは品質が、予め設定されたしきい値以上か否かを判定する（判定結果Ｂ）（ＳＴＥＰ４−３）。
少なくとも判定結果Ａまたは判定結果Ｂのどちらかが真の場合（ＳＴＥＰ４−４）には、追加対象セルとする（ＳＴＥＰ４−５）。すなわち、判定結果Ａまたは判定結果Ｂのどちらかが真の場合か、判定結果Ａおよび判定結果Ｂの両方が真の場合には、追加対象セルとなり、これ以外には、追加セルでないと判定される。
測定したセルの数の分について、前記ＳＴＥＰ４−２〜ＳＴＥＰ４−５の処理を繰り返す（ＳＴＥＰ４−６〜ＳＴＥＰ４−７）。なお前記ＳＴＥＰ４−２とＳＴＥＰ４−３とは、どちらが先のステップであっても良く、図５に示す順番と逆転していても良い。
【００４１】
なお、通信セルが削除される場合の動作については、通信部（４）側で受信レベルおよび品質を測定し、通信制御部（１０）側で削除条件を判定し、ネットワークに通知する。
【００４２】
以上の動作により、周辺セル測定部の遅延プロファイル生成部及びパス割り当てのユニット数は測定するセル数より少ないため、回路規模を縮小できる。さらに、通信に追加される可能性が高いセルについてはネットワークからの指定よりも前にパス同期を開始することができるため、高速、かつ正確なマルチパスのフィンガー割り当てが可能となる。
【００４３】
＜他の実施形態＞
次に、本発明の他の実施形態について説明する。
前記した実施形態例では、測定部（４）と周辺セル測定部（５）の遅延プロファイル生成部とを独立に用意したが、これらのリソースを共有して管理するようにすることができる。これによって、更に必要な回路規模を減らすことが出来る。また、このような構成のＣＤＭＡ端末を用いた動作例は、前述した実施形態の動作例と同様であるので、動作の説明は、省略する。
【００４４】
【発明の効果】
本発明は、測定した周辺セルのレベル、品質に応じて、条件判定を行い、ネットワークからセルの追加が要求されることを予め予測して、該当の周辺セルに対してのパスサーチ処理を実施することができるよう制御可能にしたので、ハンドオーバー先として追加したセルのマルチパスタイミングを高速かつ正確に割り当てることが可能なため、通信性能が向上することにある。
【００４５】
その理由は、ネットワークからのハンドオーバー指示が来る前に、移動端末側でハンドオーバーを予想してパスタイミングの検出を開始できるためである。
【００４６】
また、本発明では、前記したような制御可能にしたので、複数の周辺セルを測定する必要がある場合でも回路規模を少なくすることができる。
【００４７】
その理由は、通信に使用される確率が高いセルに対して、ハードウェアリソースを優先して割り当てられるためである。
【図面の簡単な説明】
【図１】本発明に係るＣＤＭＡ端末の構成例の一実施形態を示すブロック図である。
【図２】本発明の１実施形態のＣＤＭＡ端末を用いた動作を示すフローチャートである。
【図３】ネットワークから通信対象セルの変更が通知された場合についての動作を示すフローチャートである。
【図４】タイマが満了した場合の動作を示すフローチャートである。
【図５】追加条件判定の一実施例を示すフローチャートである。
【符号の説明】
１  アンテナ
２  無線部
３  Ａ／Ｄ変換部
４  通信部
５  周辺セル測定部
６  通信用遅延プロファイル生成部
７  通信用パス割り当て部
８  通信用フィンガー
９  通信用ＲＡＫＥ合成部
１０  通信制御部
１１  送信部
１２  Ｄ／Ａ変換部
１３  測定用プロファイル生成部
１４  測定用パス割り当て部
１５  測定用フィンガー部
１６  測定用ＲＡＫＥ合成部
１７  セル追加条件判定部
１８  測定制御部
１９  タイマ部
【図１】
2004363950.tif 000003
【図２】
2004363950.tif 000004
【図３】
2004363950.tif 000005
【図４】
2004363950.tif 000006
【図５】
2004363950.tif 000007